(57)【要約】【課題】  電子画像から専門家または個人ユーザーが、容易かつ迅速に用紙に直接画像を印刷した状態の冊子を作成できるシステムおよびそのための印刷用紙を提供する。【解決手段】  電子画像データ読み込み手段により画像取り込み部に取り込まれた電子画像データを、長手帯状の印刷用紙に対してその長手方向に並んだ複数の印刷領域ごとに画像印刷がなされるように印刷手段に対して印刷データを出力する印刷データ出力手段を有する冊子作成システムである。また印刷用紙は、長手帯状であり、長手方向に並んだ複数の印刷領域を有する。さらに各印刷領域の境界で折り曲げることにより、各印刷領域の裏面同士を貼り合わせて冊子とする。印刷用紙裏面には、粘着層が形成されており、容易に貼り合わせることができる。【選択図】図７
2005132007.tif 000002
【特許請求の範囲】
【請求項１】
電子画像データ読み込み手段により画像取り込み部に取り込まれた電子画像データを、長手帯状の印刷用紙に対してその長手方向に並んだ複数の印刷領域ごとに画像印刷がなされるように印刷手段に対して印刷データを出力する印刷データ出力手段を有し、
その長手帯状の印刷用紙の長手方向に並んだ画像印刷部が形成された後、その各印刷領域間の境界で、前記長手帯状の印刷用紙が折り曲げられることによりアルバム冊子とされることが予定されることを特徴とする冊子作成システム。
【請求項２】
前記長手帯状の印刷用紙の前記複数の印刷領域のうち一部の領域にのみ印刷した後に、その印刷されていない領域を選んで印刷することができる請求項１に記載の冊子作成システム。
【請求項３】
前記印刷データの一部を、第一の前記長手帯状の印刷用紙の印刷領域に印刷し、かつ残余の前記印刷データを第二の前記長手帯状の印刷用紙の印刷領域に印刷して、
前記第一の長手帯状の印刷用紙の終端の印刷領域裏面と前記第二の長手帯状の印刷用紙の始端の印刷領域裏面とを貼り合わせて組み立て冊子とする請求項１または２に記載の冊子作成システム。
【請求項４】
前記長手帯状の印刷用紙の裏面に、貼り合わせのための粘着層を形成し、その後前記印刷領域に印刷する請求項１ないし３のいずれか１項に記載の冊子作成システム。
【請求項５】
前記印刷領域に印刷した後、前記長手帯状の印刷用紙の裏面に、貼り合わせのための粘着層を形成する請求項１ないし３のいずれか１項に記載の冊子作成システム。
【請求項６】
前記長手帯状の印刷用紙の印刷領域間の境界を切断する切断部を有する請求項１ないし５のいずれか１項に記載の冊子作成システム。
【請求項７】
長手方向に並んだ複数の印刷領域を有し、印刷データを前記印刷領域に印刷した後に、その印刷領域間の境界において折り曲げて冊子にするための長手帯状の印刷用紙。
【請求項８】
請求項７に記載の長手帯状の印刷用紙の少なくても長辺端部に接合部を有し、その接合部により複数の前記長手帯状の印刷用紙が並列的に接合する印刷用紙。
【請求項９】
前記長手帯状の印刷用紙の裏面に粘着層を有し、その粘着層を被う剥離紙を剥がして前記裏面同士を貼り合わせる請求項７または８に記載の長手帯状の印刷用紙。
【請求項１０】
前記複数の印刷領域間の境界に折り曲げ基準線部が作成されて前記印刷領域が区切られており、前記印刷領域に前記印刷データを印刷後、前記折り曲げ基準線部において折り曲げる請求項７ないし９のいずれか１項に記載の長手帯状の印刷用紙。
【請求項１１】
前記印刷領域に前記印刷データを印刷後、前記印刷領域間の境界に折り曲げ基準線部を作成して、その折り曲げ基準線部において折り曲げる請求項７ないし９のいずれか１項に記載の長手帯状の印刷用紙。
【請求項１２】
偶数個の前記印刷領域を有し、一端から奇数番目の前記折り曲げ基準線部において谷折りにし、偶数番目の前記折り曲げ基準線部において山折りにして、前記印刷領域の裏面を貼り合わせることにより組み立て、冊子を作成する請求項１０または１１に記載の長手帯状の印刷用紙。
【請求項１３】
前記折り曲げ基準線部は、ミシン目である請求項１０ないし１２のいずれか１項に記載の長手帯状の印刷用紙。
【請求項１４】
前記裏面同士を貼り合わせた後、一部領域が剥離することなく貼り合わせ状態を維持でき、かつ貼り合わせ位置の修正のため、剥離して再度貼り合わせをすることができる粘着力を有する粘着剤によって形成された粘着層を有する請求項７ないし１３に記載の長手帯状の印刷用紙。
【請求項１５】
坪量１００ｇｒ／ｍ２以上、かつ厚さ１８０μｍ以上である印字紙に、粘着度が１２Ｎ／２５ｍｍ以下である粘着剤からなる前記粘着層を有する請求項１４に記載の長手帯状の印刷用紙。
【請求項１６】
請求項７ないし１５のいずれか１項に記載の長手帯状の印刷用紙を印刷領域間の境界において折り曲げた後、前記長手帯状の印刷用紙の一端の印刷領域裏面と他端の印刷領域裏面を貼り付けるための遊び紙を、表紙と裏表紙との間に備えた冊子作成用表紙。
【発明の詳細な説明】
【技術分野】
【０００１】
デジタルカメラ等の普及により撮影した電子画像の楽しみ方も広がってきており、画像データをパーソナルコンピュータのモニタ上で鑑賞したり、画像データを編集したりすることが行われている。そしてそのデータは、ハードディスクやコンパクトディスクなどの記録メディアに保存したり、印刷装置により印刷を行ったりしている。またこのような画像データを台紙や専用用紙に印刷し、紙製のアルバムとして製本し、記念に残したり楽しんだりすることができる。このような台紙や専用用紙に直接印刷して製本したものは、写真を貼り付けたアルバムと比べ、オリジナル本の感覚で、画像を楽しむことができる。そしてこのようなアルバムを作成するためには、電子画像データを記録メディアに保存した状態で、特定の業者へ持ち込むか、あるいはインターネットを介してデータを送り、個人アルバムとして製本の依頼を行っている。
【発明の開示】
【発明が解決しようとする課題】
【０００２】
しかしこのように、台紙や用紙に直接画像を印刷し製本化するには、専門業者に依頼しなくてはならず、注文の方法が面倒であったり、製本された状態となるまでにかなりの日数を要したりし、手軽に電子画像を紙製のアルバム状態で製本化することができるとは言い難い。一方、画像のみを印刷し、印刷された画像を既製のアルバムに貼り付ける方法ならば個人でも容易に行うことができるが、製本化されたものに比べれば、安価なイメージは否めない。デジタルカメラの普及により手軽に撮影が可能となり、それらの画像を手軽に製本化する方法が望まれている。
【０００３】
このような問題から、専門家または個人ユーザーが、電子画像を取り込み、その画像を編集した後、用紙に直接画像を印刷した状態の冊子を容易にかつ短時間で作成できるシステムおよびそのための印刷用紙を提供することを課題とする。
【課題を解決するための手段および発明の効果】
【０００４】
上記課題を解決するために本発明の冊子作成システムは、
電子画像データ読み込み手段により画像取り込み部に取り込まれた電子画像データを、長手帯状の印刷用紙に対してその長手方向に並んだ複数の印刷領域ごとに画像印刷がなされるように印刷手段に対して印刷データを出力する印刷データ出力手段を有し、
その長手帯状の印刷用紙の長手方向に並んだ画像印刷部が形成された後、その各印刷領域間の境界で、長手帯状の印刷用紙が折り曲げられることによりアルバム冊子とされることが予定されることを特徴とする。
【０００５】
印刷データ出力手段は、電子画像を取り込んで、その画像データを編集、加工し、長手帯状の印刷用紙に画像を印刷するようにデータを出力することができる。画像の編集、加工として、画像に着色したり、文字を書き込んだりすることができる。このように処理した画像データを、長手状の印刷用紙の印刷領域に、アルバム冊子として製本できる位置、方向、向き、大きさに印刷データとして作成し、出力する。これにより、ユーザーが容易かつ短時間に、電子画像取り込み、編集、出力を行い、冊子を作成することができる。したがって多数の冊子を作成するにも適しているし、個人ユーザーが行うにもよい。また冊子となる印刷用紙に直接印刷するため、印刷した用紙を冊子となる台紙に貼り付けるより高級感を出すことができる。
【０００６】
さらに本発明の冊子作成システムは、長手帯状の印刷用紙の複数の印刷領域のうち一部の領域にのみ印刷した後に、その印刷されていない領域を選んで印刷することができる。すなわち長手帯状の印刷用紙に印刷データを印刷する際に、任意の印刷領域に印刷して一旦印刷を終了し、後に印刷されていない残余の領域にさらに印刷データを印刷することができる。これにより、撮影の終了した画像データを取り込んで、印刷用紙の任意の位置に印刷をしておき、さらに後で撮影した画像データを取り込んで、印刷することができる。例えば、結婚式の写真を、式が終了した後に出席者分印刷しておいて、披露宴が終了した後に、披露宴の写真を追加印刷するようにすれば、多数の冊子を作成したい場合に、時間を有効に利用できる。印刷されていない印刷領域を選んで印刷できるため、このように多数の冊子を短時間で作成することができる。
【０００７】
さらに本発明の冊子作成システムは、印刷データの一部を、第一の長手帯状の印刷用紙の印刷領域に印刷し、かつ残余の印刷データを第二の長手帯状の印刷用紙の印刷領域に印刷して、
第一の長手帯状の印刷用紙の終端の印刷領域裏面と第二の長手帯状の印刷用紙の始端の印刷領域裏面とを貼り合わせて組み立て冊子とする。
【０００８】
多くの画像を印刷したい場合に、第一の長手帯状の印刷用紙の印刷領域では、すべての画像を印刷できない場合が生じる。このような場合に、印刷できなかった画像を第二の長手帯状の印刷用紙に印刷し、第一の長手帯状の印刷用紙の終端の印刷領域の裏面と、第二の長手状の印刷用紙の始端の印刷領域の裏面とを貼り合わせることにより、多くの画像を印刷して冊子とすることができる。
【０００９】
本発明の冊子作成システムは、長手帯状の印刷用紙の裏面に、貼り合わせのための粘着層を形成し、その後印刷領域に印刷することができる。または、印刷領域に印刷した後、長手帯状の印刷用紙の裏面に、貼り合わせのための粘着層を形成するようにもできる。印刷用紙の裏面に粘着層を印刷の前、または印刷後に形成することにより、簡便に印刷された印刷用紙を折り曲げて貼り合わせることができる。
【００１０】
本発明の冊子作成システムは、長手帯状の印刷用紙の印刷領域間の境界を切断する切断部を有するようにもできる。例えば、ロール状に巻かれた多数の印刷領域を有する長手帯状の印刷用紙の印刷領域に印刷後、切断部によって切断することができる。このようなシステムによれば、任意の長さ（ページ数）の冊子を作成することができる。もちろん印刷前に切断するようにしてもよい。
【００１１】
本発明の長手帯状の印刷用紙は、長手方向に並んだ複数の印刷領域を有し、印刷データを印刷領域に印刷した後に、その印刷領域間の境界において折り曲げて冊子にするためのものである。長手方向に並んだ複数の印刷領域に印刷データを印刷した後に、印刷領域間の境界において折り曲げて、裏面を貼り合わせれば、冊子とすることができる。画像が印刷された印刷用紙が、折り曲げることによりそのまま冊子のページとなるため、短時間に冊子を完成することができる。
【００１２】
長手帯状の印刷用紙の少なくても長辺端部に接合部を有し、その接合部により複数の長手帯状の印刷用紙が並列的に接合する印刷用紙を使用することもできる。長手方向に印刷領域が一列に並ぶ長手帯状の印刷用紙を複数の接合部によって並列的に接合させて一つの印刷用紙として提供する。例えば、三連の長手帯状の印刷用紙を結合させて一つの印刷用紙とし、３列同時に印刷するようにすれば、印刷時間を短縮することができる。それぞれの長手帯状の印刷用紙は、複数の接合部によって接合されているが、接合部を少なくとも長手方向の端部に設けると、印刷装置に挿入し印刷する際に、印刷用紙端部が固定されずに、印刷位置がずれてしまうことを防ぐことができる。
【００１３】
さらに本発明の長手帯状の印刷用紙は、長手帯状の印刷用紙の裏面に粘着層を有し、その粘着層を被う剥離紙を剥がして裏面同士を貼り合わせて冊子を作成する。印刷用紙裏面に粘着層を有するようにすれば、印刷後、粘着層を覆う剥離紙を剥がして、裏面同士を貼り合わせ、簡便に冊子にすることができる。
【００１４】
印刷用紙には、複数の印刷領域間の境界に折り曲げ基準線部が作成されて印刷領域が区切られており、印刷領域に印刷データを印刷後、折り曲げ基準線部において折り曲げて、冊子とする。各印刷領域間に予め、折り曲げのための折り曲げ基準線部を作成しておけば、印刷後に、簡単に折り曲げて冊子とすることができる。或いは、印刷用紙の印刷領域に印刷データを印刷後、印刷領域間の境界に折り曲げ基準線部を作成して、その折り曲げ基準線部において折り曲げるようにしてもよい。
【００１５】
本発明の印刷用紙は、偶数個の印刷領域を有し、一端から奇数番目の前記折り曲げ基準線部において谷折りにし、偶数番目の折り曲げ基準線部において山折りにして、印刷領域の裏面を貼り合わせることにより組み立て、冊子を作成する。
【００１６】
一番目の印刷領域と二番目の印刷領域との間の第一折り曲げ基準線部において、谷折りにする。続いて二番目の印刷領域と三番目の印刷領域との間の第二折り曲げ基準線部において山折りとする。このように奇数番目の折り曲げ基準線部において谷折りにし、偶数番目の折り曲げ基準線部において山折りにして、裏面を貼り合わせることにより冊子とすることができる。一番目の印刷領域の裏面と最終の印刷領域の裏面に、表紙を貼り付けて冊子とできる。
【００１７】
前述の折り曲げ基準線部は、ミシン目であり、このミシン目によって、各印刷領域間において折り曲げがしやすくなる。また折り曲げ基準線部は、ミシン目に限られず、マイクロミシン目や押し圧による折り線などであってもよい。
【００１８】
本発明の印刷用紙は、裏面同士を貼り合わせた後、一部領域が剥離することなく貼り合わせ状態を維持でき、かつ貼り合わせ位置の修正のため、剥離して再度貼り合わせをすることができる粘着力を有する粘着剤によって形成された粘着層を有する。裏面に粘着層を有するため、剥離紙を剥離して裏面同士を貼り合わせることにより容易に冊子とできる。しかし裏面同士を貼り合わせた際に、ずれて貼り合わせてしまうことも起こりうる。そこで弱粘着力の粘着剤により粘着層を形成するようにすれば、再び裏面間を剥離して、ずれないように貼り合わせることができる。
【００１９】
より具体的には、坪量１００ｇｒ／ｍ２以上、かつ厚さ１８０μｍ以上である印字紙に、粘着度が１２Ｎ／２５ｍｍ以下である粘着剤により粘着層を形成する。印字紙の厚さは、５００μｍ程度以下が、汎用のプリンタで使用するには望ましい。専用の印刷機で行うのであれば、それ以上の厚さでも可能である。また印刷用紙裏面同士を貼り合わせた場合に、一部領域が剥離することなく貼り合わせの状態を維持できるためには、２Ｎ／２５ｍｍ以上の粘着力があることが望ましい。この坪量、厚さの印字紙を使用すると、十分な強さと厚さにより見栄えのよい冊子とできる。そしてこのような印字紙を貼り合わせ、かつ張り合わせの位置がずれた場合に、剥離して再び貼り合わせるためには、上記のような粘着剤を使用する必要がある。このような弱粘着力の粘着剤により、貼り合わせのやり直しができる。
【００２０】
本発明の冊子作成用表紙は、記載の長手帯状の印刷用紙を印刷領域間の境界において折り曲げた後、前記長手帯状の印刷用紙の一端の印刷領域裏面と他端の印刷領域裏面を貼り付けるための遊び紙を、表紙と裏表紙との間に備えている。
【００２１】
長手帯状の印刷用紙を折り曲げて貼り合わせた後、冊子作成用表紙に貼り付ける。冊子作成用表紙は、表紙と裏表紙との間に遊び紙が備えられており、折り曲げた印刷用紙の一端と他端とをこの遊び紙に貼り付けて冊子として完成することができる。
【発明を実施するための最良の形態】
【００２２】
図１は、画像処理装置１００の概要を説明するブロック図である。ＣＰＵ１０２、ＲＯＭ１０３、ＲＡＭ１０４、ＨＤＤ１０５を有するコンピュータ１１２とＩ／Ｏポート１０１を介して、メモリーカード用スロット１０６、スキャナ１０８、モニタ１０９、プリンタ１１０、ＣＤドライブ１１１等の入力機器及び出力機器が接続されて、画像処理装置１００は構成されている。アプリケーションソフトは、ＨＤＤ１０５内に保存されており、起動することによりＲＡＭ１０４内に記憶され動作する。
【００２３】
コンピュータ１１２の電源をONした後、本発明のアプリケーションソフトを起動する（図３のＳ１）。次に、スロット１０６から、メモリーカード１０７に記録されている画像データを読み出し、続いて画像の削除・追加及び編集を行うこととなる。コンピュータ１１２には、メモリーカード用スロット１０６が接続されており、デジタルカメラ等で撮影された編集したい静止画像が入っている例えばスマートメディア等の画像記録媒体をメモリーカード用スロット１０６に挿入し、画像データを読み込む。この時、記録媒体に保存されている画像をすべて読み込む。読み込まれた画像データは、パソコンのモニタ１０９上に表示される。
【００２４】
アプリケーションソフトを起動後、メモリーカード１０７がメモリーカード用スロット１０６に入っているか判断する（Ｓ２）。挿入されていない場合は、Ｓ３でメモリーカード１０７をスロット１０６に挿入する。メモリーカード１０７から画像データを読み込む際には、どのメモリーカード１０７から読み込むかメモリーカード１０７の種類を選択することになる（Ｓ４）。メモリーカード１０７の選択は、アプリケーションソフトにて行う。タッチパネル機能付コンピュータを使用する場合、上記メモリーカード１０７の選択は、選択画面上の対応する位置をユーザーが指あるいは専用の支持棒で触れることにより行うことができる。タッチパネル機能が付いていないコンピュータでアプリケーションを操作する場合は、マウスにて該当部分をクリックすることにより行うことができる。
【００２５】
メモリーカード１０７の選択後（Ｓ４）、画像データの読み出しが行われる（Ｓ５）。読み出しが終了すれば、モニタ１０９上に画像が表示される（Ｓ６）。画像データの追加があるかどうか判断し（Ｓ７）、さらに画像データの追加がある場合には、図２（ａ）の追加ボタン１０９ｄを選択し、前述のＳ３の工程に移る。これにより、新たにスロット１０６に挿入された別のメモリーカード１０７に保存されている画像データが、先に読みこまれた画像データとともに、ＲＡＭ１０４の画像データメモリに一時記録される。そして、追加された画像データに基づく画像が、図２（ａ）の表示画面１０９ａに、先に読みこまれた画像とともに表示される。
【００２６】
読み込んだ画像の編集を行うことも可能である（Ｓ８）。編集をする場合は、編集したい画像を選択する。選択された画像は、モニタ上に大きく表示される（図２（ｂ））ので、そこで文字を付けたり、線を引いたりすることができる。また画像に着色処理などを行い、例えばセピア色として画像の雰囲気を変えることもできる（Ｓ９）。
【００２７】
画像の編集の仕方について説明する。図２（ａ）に示す表示画面において、文字の編集を行いたい画像を選択する。具体的には、表示画面１０９ａの操作フレーム１０９ｂに表示されている編集ボタン１０９ｅを押した後、表示されている画像（１、２、３・・・）から編集したい画像を選択する。編集したい画像の選択が終了すると、図２（ｂ）に示すように、選択された画像のみが大きく、モニタ１０９の表示画面１０９ａに表示される（図２（ｂ）は画像１を選択した場合の表示画面１０９ａを示すものである）。そして、画像１に、文字をつける場合には、操作フレーム１０９ｂに表示されている色選択領域１０９ｇにおいて、画像１に合う好みの色を選択し、タッチパネル機能付きコンピュータの場合は、指或いは専用の指示棒により、そうでない場合は、マウスで表示画面の上をなぞって、画像１上に適宜文字を付与する。文字の付与に際しては、線の太さ領域１０９ｉから適当な線の太さを選択したり、消しゴム１０９ｈ等を適宜選択しながら（場合によっては線の色も変えたりしながら）、好みの文字を形成することができる。また、文字だけではなくて、画像に飾り等を付与することもできる。編集が終了したら保存ボタン１０９ｊを選択して、編集操作を終了する。
【００２８】
読み込まれた画像データのうち、不必要な画像データは、削除し除外することができる（Ｓ１０）。不要な画像を削除する場合には、図２（ａ）に示す表示画面において、操作フレーム１０９ｂ内の削除ボタン１０９ｃを選択したのち、表示画面１０９ａ上で不要な画像を、指あるいは専用の支持棒、またはマウス等により選択することで行うことができる。この選択により不要と判断された画像に対しては、削除されることを示す旨の表示（例えば×マーク等）が表示画面上に付与される。なお、不要と選択された画像を、再度指あるいは専用の支持棒、またはマウス等にて選択することで、画像の削除を取りやめることができる。
【００２９】
さらに、Ｓ１１においては、アルバムとして印刷される画像の印刷の順番を変更することもできる。図２（ａ）の表示画面１０９ａにおいて、操作フレーム１０９ｂに表示されている順番ボタン（１０９ｆ）を選択し、その後、順番を入れ替える画像を選択する。そして、入れ替える画像を選択している状態で、操作フレーム１０９ｂ内の「前へ」あるいは「次へ」ボタン１０９ｋを適宜選択することにより、選択した画像を表示画面上で移動させ、好みの順番に設定することができる。図２（ｃ）に２番目の画像を削除し、１番目と３番目の順序を入れ替えた場合の例を示す。
【００３０】
この指定した順番にできあがりのアルバム上で画像が配列するように、画像処理装置であるアプリケーションソフトが、印刷データを作成し、印刷装置にデータを送ることになる。印刷用紙を指定し（Ｓ１２）、さらに画像の外、つまり台紙または専用用紙の画像印刷の余白部分に文字を挿入したり、イラストを挿入したりすることも可能である。これらの装飾を行う場合（Ｓ１３）、Ｓ１４で文字、絵、フレーム（枠）などを挿入する。フレームは、あらかじめアプリケーションソフトに組み込まれており、その中からユーザーが選択することにより容易に設定することができる。
【００３１】
以上のように画像の編集作業、印刷する画像の選択、印刷用紙の選択を行った後、アプリケーションソフトに印刷を指示する（Ｓ１５）。印刷は、製本用の長手帯状の専用印刷用紙または一般の用紙に行う。アプリケーションソフトは、印刷される画像が、製本する際に、所望の向き、順番、位置になるように決定し、データを印刷装置に送ることになる。
【００３２】
印刷に必要な設定として、印刷用紙の選択、画像の枚数の選択、画像に施すフレームの選択などがあげられる。アプリケーションソフトは選択された用紙、画像の枚数に応じて、どの位置、向きに画像を印刷するべきか設定値をあらかじめ内蔵しており、ユーザーは、自分自身で値を詳細に設定したり調整したりする必要はなく、容易に決定できる。
【００３３】
画像データは、上記実施例のようにメモリーカード１０７から読み出されるものだけに限られるものではない。例えば、図１に示すように、コンピュータ１１２に接続される外部機器として、スキャナ１０８を採用し、このスキャナ１０８により静止画像を静止画像データとして読取り、この静止画像データからアルバムを作成することもできる。具体的には、既にプリント出力（現像）済みの写真の画像をスキャナ１０８により取り込んで、画像データとして利用し、アプリケーション上で編集した後、プリンタで印刷することになる。画像データをスキャナで取り込んだ後の手順については、前述と同様である。またＣＤドライブ１１１にＣＤ等を挿入し、ＣＤ等に保存されている画像を読み込み、これらの画像から同様にアルバムを作成することも可能である。さらにＣＤドライブ１１１の代わりにＤＶＤドライブを備え、ＤＶＤディスクからデータの読み込みや記録をするようにしてもよい。
【００３４】
図４において印刷用紙の詳細について説明する。図４（ａ）のように印刷用紙７０には、折り曲げ基準線部としてミシン目７１，７２，７３が入れられている。ミシン目によって分けられた領域が、画像等を印刷する印刷領域７６，７７，７８である。この印刷用紙７０は、複数の印刷領域７６，７７，７８を有し、各印刷領域に、画像、文字等を印刷できる。各印刷領域７６，７７，７８は、製本した際に１頁となる。印刷用紙７０は、印刷領域を偶数個有している。ミシン目７１，７３は、谷折り（中折れ）にし、ミシン目７２は、山折りにする。以後同様に山折りと谷折りとを繰り返す。ミシン目７１，７２，７３で区切られた面７６，７７，７８を正方形（７４と７５を同じ長さにする）または正方形に近い形にすると高級感がでて一層よい。
【００３５】
細かいマイクロミシンによるミシン目を付けることで、印刷後、マイクロミシン目を山折りにした場合に、マイクロミシン目部分が切れるようにしてもよい。こうすることにより比較的ページ数の多い場合に体裁良く仕上げることができる。
【００３６】
印刷用紙７０の断面図を図４（ｂ）に示す。印刷領域を有する印字紙８０としては、写真用光沢紙を使用すると、印刷した際、きれいに仕上げることができる。また比較的厚めの、例えば１８０μｍ以上の厚さのものを使用すると、高級感が出てよい。印字紙８０の裏面には、粘着剤によって形成される粘着層８１と剥離紙８２とを付ける。剥離紙８２を剥がすことにより、表紙などと張り合わせることができる。粘着剤は、弱粘性（弱粘力）のものを用いると、再剥離が可能となりよい。特に坪量が１００ｇｒ／ｍ２以上で１８０μｍ以上の厚さの印字紙８０を使用する場合には、粘着度が、１２Ｎ／２５ｍｍ以下の粘着剤を使用すると、貼り合わせの際に貼り合わせ位置がずれてしまった場合、剥離してもう一度接着することができる。ミシン目７１，７２，７３は、印刷用紙の厚さ方向に対し、貫通して入れられている。他の図示されていない部分においても、同様にミシン目が入れられている。
【００３７】
このような印刷用紙７０の印字紙８０に写真や文字を印刷する。ミシン目７１，７３部分を谷折りにし、ミシン目７２による折り線を入れた部分を山折りにした図を図４（ｃ）に示す。印刷領域が偶数個の印刷用紙の場合、剥離紙８２を剥がすことにより、面８５を表紙と接着させる。面８６と面８７とは、互いに接着する。あるいは、各印刷領域の境界に予めミシン目が入っていない印刷用紙に印刷し、その後、ミシン目を入れるようにしてもよい。
【００３８】
ここでミシン目を入れた印刷用紙７０において、ミシン目７２で折り曲げた場合を図５（ａ）に、ミシン目を入れない印刷用紙１７０において、ミシン目のない位置で折り曲げた場合を（ｂ）に示す。（ｂ）に示すように、ミシン目を入れずに折り曲げた場合、弱粘性の接着剤によって貼り合わせると、折り曲げた近傍が、剥離してしまい不都合を生じる。ところが本実施例のように、ミシン目を入れて、そこを折り曲げる形態とすれば、弱粘性の接着剤を使用しても、剥がれることはない。しかも弱粘性の接着剤によれば、貼り合わせを失敗した場合には、手で容易に剥離することも可能である。
【００３９】
本実施例では、坪量１００ｇｒ／ｍ２以上、かつ厚さ１８０μｍ以上である印字紙を用いて、図５（ｃ）に示すように、印刷用紙の裏面全体に、粘着度が１２Ｎ／２５ｍｍ以下である粘着剤からなる粘着層を形成し、印刷領域間にミシン目を入れることにより、（ａ）のような形状に貼り合わせることができた。これ以上の粘着度の粘着剤を使用すると、貼り合わせに失敗した際に容易に剥離できなくなった。或いは、（ｄ）に示すように、各印刷領域裏面の周辺部にのみ粘着層を形成することもできる。この場合、上記粘着度より粘着度の大きい粘着剤を使用することもできる。また（ｅ）に示すように各印刷領域の境界の裏面において剥離紙は、切り分けておくことにより、一枚ずつ順番に剥離紙を剥がすことができる。各領域裏面の剥離紙が各々切断されていれば、貼り合わせる裏面の剥離紙を剥がして、裏面同士を貼り合わせ、続いて次に貼り合わせる裏面の剥離紙を剥がして、同様に貼り合わせるようにすれば、貼り合わせの失敗や手を汚すことが起こりにくくなってよい。
【００４０】
図４（ｄ）に印刷用紙の他の形態を示す。印字紙８０の裏に芯材８３を粘着層８１で取り付け、芯材８３の裏に粘着層８１、剥離紙８２をつける。芯材の厚さは、目的に合わせて選ぶ。強度をもたすなら、芯材として厚いものを選ぶ。ミシン目７１，７２，７３は、印刷用紙の厚さ方向に対し貫通させる。ミシン目は図示されていない部分においても同様に入れられている。また予めミシン目が入っていない印刷用紙において印刷した後に、ミシン目を入れるようにしてもよい。
【００４１】
ところで印刷用紙裏面に、予め粘着層が形成されておらず、印刷時に形成するようにすることもできる。図６（ａ）に、印刷用紙の裏面に粘着層を付着する機能を有する印刷装置の実施例を示す。印刷装置１３０は、内部に粘着層形成部１３１、印刷部１３２、折り曲げ基準線部形成部１３３、切断部１３４を備える。外部には、印刷データ出力手段としてのコンピュータ１４０が接続されている。
【００４２】
コンピュータ１４０から印刷データを受け取った印刷装置１３０は、ロール状に巻かれた長尺印刷用紙１８０と粘着材料１８１とを取り入れ、粘着層形成部１３１において長尺印刷用紙１８０と粘着材料１８１とを一体とし、粘着層を形成する。そして長尺印刷用紙１８０の印刷領域に印刷データに従って、印刷部１３２において画像印刷を行う。印刷された長尺印刷用紙１８０は、続いて折り曲げ基準線部形成部１３３に送られ、ここで例えば、ミシン目を入れられる。或いはマイクロミシン目や押し圧による折り線であってもよい。続いて切断部１３４に送られて、所望のページ数（印刷された印刷領域数）で切断されて印刷装置１３０より排出される。切断された印刷用紙１８０は、裏面に粘着層１８１が形成されており、ミシン目で折り曲げて冊子とする。
【００４３】
図６（ｂ）に印刷用紙の裏面に粘着層を付着する機能を有する印刷装置の他の実施例を示す。この印刷装置１５０は、印刷データ出力部１５５を有する。さらに印刷部１５２、折り曲げ基準線部形成部１５３を備える。粘着層形成部１５１と切断部１５４は、配線１５６によって印刷データ出力部１５５と接続されている。印刷データ出力部１５５によって粘着層形成部１５１と切断部１５４とを制御する。
【００４４】
印刷データ出力部１５５は、電子画像を取り込んで印刷データを出力する。印刷装置１５０は、ロール状に巻かれた長尺印刷用紙１８０を取り込んで、印刷データに従って、印刷部１５２において長尺印刷用紙１８０に印刷する。印刷された長尺印刷用紙１８０は、折り曲げ基準線部１５３に送られ、例えばミシン目を入れられる。印刷装置１５０から排出された長尺印刷用紙１８０は、続いて粘着層形成部１５１に送られて、粘着材料１８１と一体化される。これによって長尺印刷用紙１８０の裏面に粘着層が形成される。次に切断部１５４において、所望のページ数で切断される。
【００４５】
図７（ａ）は、印刷用紙７０を示す。前述のように印刷領域に画像印刷部として画像等を印刷した後、ミシン目において折り曲げる。この用紙７０には、全ての画像が同方向に印刷されている。印刷用紙と印刷画像の選択をユーザーが行えば、画像の向き、方向、大きさ、位置等は、すべてアプリケーションソフトが決定し、ユーザーが微妙な設定を行う必要はない。印刷に至るまでの過程は、前述した通りである。なお印刷用紙１８０についても同様に折り曲げを行う。
【００４６】
図７（ｂ）に厚手の冊子作成用表紙５１を示す。冊子作成用表紙５１は、表紙５３ａ、裏表紙５３ｂ、背表紙５５、および遊び紙５４ａ，５４ｂからなる。表紙５３ａと裏表紙５３ｂの内側に、遊び紙５４ａ，５４ｂが取り付けられている。背表紙５５の裏面側は、粘着テープとなっており、使用する前に剥離紙をはがして、折り曲げた印刷された用紙を接着する。このように表紙５３ａ、裏表紙５３ｂ、遊び紙５４ａ，５４ｂ、背表紙５５が一体となった冊子作成用表紙５１を別材とし、キットとしておけば、厚手で高級感のある表紙、背表紙を取り付けることができ、迅速かつ安価に豪華なアルバムを作成することができる。図７（ｃ）のように冊子作成用表紙５１のへり５２にあらかじめ着色しておけば、アルバム作成者は好みに合わせて台紙を選ぶこともできる。
【００４７】
図７（ｄ）に画像が印刷され、ミシン目において折り曲げられた印刷用紙７０を貼り付ける様子を示す。粘着層により、裏面を２ページごとに貼り合わせ、冊子作成用表紙５１に貼り付ける。冊子作成用表紙５１の内側の遊び紙５４ａに印刷用紙７０の第一頁目を、遊び紙５４ｂに印刷用紙７０の最終頁を貼り付ける。また背表紙５５にも接着剤がついており、印刷用紙７０を冊子作成用表紙５１に貼り付けることができ、冊子が完成する。この粘着層の粘着力は、弱粘性であり、貼り付け位置を誤った際には、再び剥がして貼り直すことができる。
【００４８】
図８に示すように、３つの長手帯状の印刷用紙２１１，２１２，２１３が連結した印刷用紙２００を示す。この各々の印刷用紙２１１，２１２，２１３は、接合部２０１によって接合されており、印刷後、接合部２０１を切り離すことにより、分離することができる。この接合部２０１は、各々が分離しないために、所定の位置に形成されるが、特に端部においては、形成されるようにする。このようにすることにより、印刷機において印刷した場合に、各々の印刷用紙の端部が固定されずに印刷が失敗することを防ぐことができる。
【００４９】
このような３連の印刷用紙２００の場合は、アプリケーションソフトにより、３連の印刷用紙を同時に印刷する。すなわち、領域１、領域１１、領域２１とを同時に印刷する。続いて領域２、領域１２、領域２２とを同時に印刷する。このようにすることで印刷時間を短縮することができる。また領域１、領域１１、領域２１は、同じ画像を印刷するようにもできるし（この場合、３つ同じものができることになる）、異なる画像を印刷することもできる。同一の印刷本を多数作製する必要がある場合に、このような印刷用紙は、特に有効である。長尺状の印刷用紙が接合された印刷用紙としては、３連のものに限られず、その他の数の長尺状印刷用紙が接合されたものであってもよい。
【００５０】
図９に長尺状の印刷用紙７０の印刷工程を示す。図９（ａ）に示すように、例えば、まず撮影の終了した画像１ないし６を印刷する。同様のものを多数印刷する必要のある場合、例えば結婚式場で、すでに終わった式の写真を必要部数印刷しておく。そして図９（ｂ）に示すように、後に披露宴において撮影した写真を、再び画像７，８として追加印刷することができる。
【００５１】
あるいは、図９（ｃ）に示すように、画像１を印刷する領域を残して、他の領域を印刷し、その後に撮影した画像の中から一番よいと思われる画像を画像１として印刷することもできる。つまり本発明のアプリケーションソフトによれば、任意の領域に画像を先に印刷し、その後、印刷されなかった領域に画像を印刷することもできる。このような機能を有することで、時間的な余裕が乏しいときにおいても、途中までの印刷を先に終了して、残りの画像を後で印刷することによって、効率よくアルバムを作成することができる。
【００５２】
図１０に長尺状の印刷用紙の印刷工程を示す。例えば、６画像を印刷することのできる印刷用紙２５０において、８画像を印刷、製本する場合の作業工程を示す。図１０（ａ）に示すように第一長尺状印刷用紙２５０の印刷領域のすべてに、画像１ないし６を印刷する。続いて（ｂ）に示すように第二長尺状印刷用紙２５１（図の場合２つの印刷領域を有する）に、画像７，８を印刷する。そして（ｃ）に示すように、画像６を印刷した印刷領域６の裏面と、画像７を印刷した印刷領域７の裏面とを貼り合わせることにより、第一長尺状印刷用紙に印刷できなかった画像も追加して、冊子とすることができる。このように、第二の印刷用紙に印刷し、第一の印刷用紙と接合することにより、印刷する画像が多い場合でも、一冊の冊子として完成することができる。
【００５３】
以上において、印刷用紙には、予めミシン目が入っていてもよいし、印刷後ミシン目を入れるようにしてもよい。またミシン目に限られず、マイクロミシン目や押し圧による折り線でもよい。印刷用紙の印刷領域数は、図に示した数に限られない。さらに粘着層は、予め形成されている場合に限られず、印刷前または印刷後に、粘着テープなどによって形成してもよい。
【図面の簡単な説明】
【００５４】
【図１】本発明の画像処理システムの概略を示す説明図。
【図２】画像を編集する際の表示画面を示す図。
【図３】画像を印刷するまでの工程を示すフローチャート。
【図４】本発明の印刷用紙の実施例。
【図５】印刷用紙の折り曲げ、粘着層、剥離紙について説明する図。
【図６】印刷装置について説明する図。
【図７】印刷用紙と冊子作成用表紙とによる冊子の作成を説明する図。
【図８】複数の長手帯状の印刷用紙が接合した印刷用紙の実施例。
【図９】画像の印刷順序を説明する図。
【図１０】印刷用紙のつなぎ合わせを説明する図。
【符号の説明】
【００５５】
５１    冊子作成用表紙
７０，１８０，２５０，２５１  印刷用紙
１０７  メモリーカード
１０９  モニタ
１１０  プリンタ
１１２  コンピュータ
１３０，１５０  印刷装置
【図１】
2005132007.tif 000003
【図２】
2005132007.tif 000004
【図３】
2005132007.tif 000005
【図４】
2005132007.tif 000006
【図５】
2005132007.tif 000007
【図６】
2005132007.tif 000008
【図７】
2005132007.tif 000009
【図８】
2005132007.tif 000010
【図９】
2005132007.tif 000011
【図１０】
2005132007.tif 000012